(57)【要約】【課題】  ハウジングの開閉部を不要とする。【解決手段】  充電可能なバッテリ７４が搭載されるカメラ４０をハウジング１２に収納した水中カメラシステム１であって、前記ハウジング外部の充電装置７８から前記ハウジング内部の前記カメラ４０に搭載されるバッテリ７４に対して非接触で電力を供給して前記バッテリ７４の受電を行う非接触電力供給手段と、前記ハウジング外部の通信装置８０と前記ハウジング外部の前記カメラ４０との間で非接触による通信を行う非接触通信手段と、を備えたことを特徴とする水中カメラシステムを提供することにより、前記課題を解決する。【選択図】  図２
2006254332.tif 000002
【特許請求の範囲】
【請求項１】
充電可能なバッテリが搭載されるカメラをハウジングに収納した水中カメラシステムであって、
前記ハウジング外部の充電装置から前記ハウジング内部の前記カメラに搭載されるバッテリに対して非接触で電力を供給して前記バッテリの受電を行う非接触電力供給手段と、
前記ハウジング外部の通信装置と前記ハウジング外部の前記カメラとの間で非接触による通信を行う非接触通信手段と、を備えたことを特徴とする水中カメラシステム。
【請求項２】
前記非接触通信手段は、前記カメラの映像信号、又は、前記カメラに対する制御信号を通信することを特徴とする請求項１に記載の水中カメラシステム。
【請求項３】
前記非接触通信手段は、前記ハウジングに設けられる光信号を透過する光信号透過部材を介して、前記ハウジング外部の前記通信装置と前記ハウジング内部の前記カメラとの間で光信号により通信を行うことを特徴とする請求項１又は請求項２に記載の水中カメラシステム。
【請求項４】
前記通信装置は、光信号を送信する第１の光送信手段、及び光信号を受信する第１の光受信手段の少なくとも一方を有し、
前記カメラは、光信号を受信する第２の光受信手段及び光信号を送信する第２の光送信手段の少なくとも一方を前記通信装置に対応して有し、
前記非接触通信手段は、前記ハウジングに設けられる光信号を透過する光信号透過部材を介して、前記第１の光送信手段と前記第２の光受信手段との間、又は、前記第２の光送信手段と前記第１の光受信手段との間で光信号により通信を行うことを特徴とする請求項３に記載の水中カメラシステム。
【請求項５】
前記充電装置は第１のコイルを有し、
前記ハウジング内部には前記バッテリに接続される第２のコイルを有し、
前記非接触電力供給手段は、前記第１のコイル及び前記第２のコイルから構成されることを特徴とする請求項１乃至請求項４のいずれか１項に記載の水中カメラシステム。
【発明の詳細な説明】
【技術分野】
【０００１】
本発明は水中カメラシステムに係り、特にハウジング内部にテレビカメラ又はビデオカメラが収納された水中カメラシステムに関する。
【背景技術】
【０００２】
水中カメラ装置は、防水されたカメラハウジング内部にテレビカメラなどが収納されており、これによってテレビカメラへの浸水が防止され、水中での撮影を可能としている（特許文献１又は特許文献２参照）。
【特許文献１】特開２００３−６９８６４号公報
【特許文献２】特開２００５−０４５５３０号公報
【発明の開示】
【発明が解決しようとする課題】
【０００３】
ところで、従来の水中カメラ装置では、テレビカメラの録画用テープやバッテリを交換するために、カメラハウジングに開閉部を設けなければならなかった。また、半導体メモリを使用するカメラの場合でも、カメラハウジングの開閉部に充電や映像出力のためコネクタが設けられていた。
【０００４】
このようにカメラハウジングに開閉部が設けられている場合、漏水を防止するために、定期的にカメラハウジングからテレビカメラを取り出して、開閉部に対して防水処理を行わなければならなかった。
【０００５】
本発明はこのような事情に鑑みてなされたもので、（カメラ）ハウジングの開閉部を不要とする水中カメラシステムを提供することを目的とする。
【課題を解決するための手段】
【０００６】
前記目的を達成するために、請求項１に記載の発明は、充電可能なバッテリが搭載されるカメラをハウジングに収納した水中カメラシステムであって、前記ハウジング外部の充電装置から前記ハウジング内部の前記カメラに搭載されるバッテリに対して非接触で電力を供給して前記バッテリの受電を行う非接触電力供給手段と、前記ハウジング外部の通信装置と前記ハウジング外部の前記カメラとの間で非接触による通信を行う非接触通信手段と、を備えたことを特徴とする水中カメラシステムを提供する。
【０００７】
本発明によれば、ハウジングにカメラが収納されたままの状態で、カメラに搭載されるバッテリの充電や光信号の送受信を行うことができる。これにより、開閉部のないハウジングを有する水中カメラシステムを提供することが可能となり、開閉部の防水処理は不要となる。
【０００８】
請求項２に記載の発明は、請求項１に記載の水中カメラシステムであって、前記非接触通信手段は、前記カメラの映像信号、又は、前記カメラに対する制御信号を通信することを特徴とする。
【０００９】
請求項３に記載の発明は、請求項１又は請求項２に記載の水中カメラシステムであって、前記非接触通信手段は、前記ハウジングに設けられる光信号を透過する光信号透過部材を介して、前記ハウジング外部の前記通信装置と前記ハウジング内部の前記カメラとの間で光信号により通信を行うことを特徴とする。
【００１０】
請求項４に記載の発明は、請求項３に記載の水中カメラシステムであって、前記通信装置は、光信号を送信する第１の光送信手段、及び光信号を受信する第１の光受信手段の少なくとも一方を有し、前記カメラは、光信号を受信する第２の光受信手段及び光信号を送信する第２の光送信手段の少なくとも一方を前記通信装置に対応して有し、前記非接触通信手段は、前記ハウジングに設けられる光信号を透過する光信号透過部材を介して、前記第１の光送信手段と前記第２の光受信手段との間、又は、前記第２の光送信手段と前記第１の光受信手段との間で光信号により通信を行うことを特徴とする。
【００１１】
請求項５に記載の発明は、請求項１乃至請求項４のいずれか１項に記載の水中カメラシステムであって、前記充電装置は第１のコイルを有し、前記ハウジング内部には前記バッテリに接続される第２のコイルを有し、前記非接触電力供給手段は、前記第１のコイル及び前記第２のコイルから構成されることを特徴とする。
【発明の効果】
【００１２】
本発明によれば、ハウジングにカメラが収納されたままの状態で、カメラに搭載されるバッテリの充電や光信号の送受信を行うことができる。これにより、開閉部のないハウジングを有する水中カメラシステムを提供することが可能となり、開閉部の防水処理は不要となる。
【発明を実施するための最良の形態】
【００１３】
以下、添付図面に従って、本発明に係る水中カメラシステムの好ましい実施の形態について詳説する。
【００１４】
図１は、本発明の実施の形態に係る水中カメラシステム１を示す斜視図である。水中カメラシステム１は、水中カメラ装置１０と、図１では図示を省略した充電装置７８及び外部通信装置８０とから構成される。
【００１５】
水中カメラ装置１０は、図１に示すように、カメラハウジング１２と、その内部に収納されるテレビカメラ４０（図１中不図示）とから構成される。
【００１６】
カメラハウジング１２の前面には被写体光取り込み用の透明ガラス１４が取り付けられ、カメラハウジング１２内部からのテレビカメラ４０による撮影が行える。
【００１７】
また、カメラハウジング１２の後面には、透明ガラスで構成される光信号送受信用窓１６が取り付けられ、テレビカメラ４０と外部通信装置８０との間で光信号に変換された映像信号や制御信号を透過するために設けられている。なお、本実施の形態では、光信号送受信用窓１６は透明ガラスに限定されるものでなく、光信号を透過させる部材であればよい。
【００１８】
また、カメラハウジング１２には保持用の取手１８とともに電子ファインダ２０、レンズコントロールスイッチ２２、カメラコントロールスイッチ群２４などが水密性をもって取り付けられている。
【００１９】
電子ファインダ２０の表示部（不図示）には撮像画像が表示され、撮影時に画角確認用のファインダとして使用できる。なお、符号２６は電子ファインダ２０支持用のアームである。
【００２０】
レンズコントロールスイッチ２２は、撮影時における倍率調整用のズームスイッチとして用いられる。カメラコントロールスイッチ群２４は撮影モード／再生モード／映像出力モードを夫々切り換えるためのモード切替ボタン２８や、録画開始/ 停止ボタン３０、テレビカメラ４０の電源をオン／オフ切り替えする電源スイッチ３２などから構成されている。
【００２１】
図２は、水中カメラ装置１０の内部構成を表す概略図である。図２に示すように、カメラハウジング１２内部のカメラ収納部３４にはテレビカメラ４０が載置される。
【００２２】
テレビカメラ４０のカメラ筐体４２のレンズ鏡筒４４には複数のレンズ群４６が光軸Ｏに沿って配置されている。レンズ群４６のうち、フォーカスレンズ４６Ａはフォーカス用モータ４８によって光軸Ｏ方向に前後動し、フォーカス調整の際に駆動される。また、ズームレンズ４６Ｂは、ズーム用モータ４７によって光軸Ｏ方向に前後動して、ズーム調整の際に駆動される。なお、符号５０はカメラ筐体４２の内部に設けられた絞り、符号５２は同補正レンズであり、絞りモータ５４、補正モータ５６によってそれぞれが駆動され、入射する被写体光の光量調整や、被写体光の結像位置を補正できる。
【００２３】
カメラ筐体４２の基盤４３には、ＣＣＤ５８、画像処理部６０、半導体メモリ６２、ＣＰＵ６４、通信部６６などが取り付けられ、それぞれが回路接続されている。このうちＣＣＤ５８はレンズ群４６の結像位置に配置され、ＣＰＵ６４から撮像開始指示があると被写体の光学像を取り込む。ＣＣＤ５８によって取り込まれた被写体の光学像は、画像処理部６０にて電子画像データ（デジタルデータ）に変換され、得られたデジタルデータは半導体メモリ６２に連続して書き込まれて記録される。
【００２４】
カメラ筐体４２には、レンズコントロールスイッチ２２と電気的な接続を行うレンズコントロール用接点端子７０が設けられ、このレンズコントロール用接点端子７０はフォーカス用モータ４８、ズーム用モータ４７、絞りモータ５４、補正モータ５６のそれぞれと回路接続されている。また、カメラコントロールスイッチ群２４と電気的な接続を行うカメラコントロール用接点端子７２がカメラ筐体４２に設けられ、カメラコントロール用接点端子７２はＣＰＵ６４と回路接続されている。
【００２５】
また、テレビカメラ４０には、テレビカメラ４０の各機器に電力を供給するバッテリ７４が搭載されている。バッテリ７４の充電は、カメラハウジング１２にテレビカメラ４０を収納したままの状態で、カメラハウジング１２外部の充電装置７８から行われる。なお、バッテリ７４の充電を行うための回路構成については後述する。
【００２６】
また、本実施の形態では、カメラハウジング１２にテレビカメラ４０を収納したままの状態で、テレビカメラ４０と外部通信装置８０との間で光信号に変換された映像信号や制御信号を送受信することができる。このとき、テレビカメラ４０と外部通信装置８０との間での信号の送受信は、カメラハウジング１２の信号送受信用窓１６と外部通信装置８０の信号送受信用窓８２を介して行われる。すなわち、半導体メモリ６２に記録された画像のデジタルデータは、映像信号として、通信部６６から信号送受信用窓１６、８２を介して外部通信装置８０に送信され、外部通信装置８０からテレビなどの映像表示装置に出力される。また、テレビカメラ４０に対する制御信号は、外部通信装置８０から信号送受信用窓８２、１６を介して通信部６６に送信され、ＣＰＵ６４において制御信号に応じた処理が行われる。なお、テレビカメラ４０と外部通信装置８０との間で映像信号や制御信号を送受信するための回路構成については後で詳説する。
【００２７】
図３は、バッテリ７４の充電を行うための回路構成図である。図３に示すように、充電装置７８には、ＡＣ電源に接続される回生コンバータ８４と、回生コンバータ８４に接続される１次側コイル８６とが設けられている。また、カメラハウジング１２内部には、充電制御器９０を介してバッテリ７４に接続するとともに充電装置７８の１次側コイル８６と対向するようにして配置される２次側コイル８８が設けられている。なお、図３では２次側コイル８８及び充電制御器９０は、テレビカメラ４０とは別に設けられる構成を示したが、これに限定されず、テレビカメラ４０のカメラ筐体４２内部に設けてもよい。
【００２８】
かかる構成により、回生コンバータ８４に入力されるＡＣ電源は、回生コンバータ８４で周波数変換され、１次側コイル８６に入力され、１次側コイル８６に対向する２次側コイル８８にコイルの巻き数比に応じた所定の電圧に変圧されて出力される。そして、２次側コイル８８に充電制御器９０を介して接続されるバッテリ７４に対して充電が行われる。なお、充電制御器９０は公知であり詳細な説明は省略するが、バッテリ７４に対する充電効率を向上するとともに過充電からバッテリ７４を保護するために設けられている。
【００２９】
このように本実施の形態では、充電装置７８の１次側コイル８６とカメラハウジング１２の２次側コイル８８を対向するように配置することによって、充電装置７８からバッテリ７４に非接触で電力供給を行うことができる。これにより、テレビカメラ４０をカメラハウジング１２に収納したままの状態で、テレビカメラ４０に搭載されるバッテリ７４の充電を行うことができる。
【００３０】
図４は、テレビカメラ４０と外部通信装置８０との間で映像信号や制御信号を送受信するための回路構成図である。
【００３１】
テレビカメラ４０の通信部６６には、映像信号入力端子９２を有するＥ／Ｏ変換器９４、Ｅ／Ｏ変換器に接続される光送信器９６、制御信号出力端子９８を有するＯ／Ｅ変換器１００、及び、Ｏ／Ｅ変換器１００に接続される光受信器１０２が設けられている。
【００３２】
また、外部通信装置８０には、映像信号出力端子１０４を有するＯ／Ｅ変換器１０６と、Ｏ／Ｅ変換器１０６に接続される光受信器１０８、制御信号入力端子１１０を有するＥ／Ｏ変換器１１２、及び、Ｅ／Ｏ変換器１１２に接続される光送信器１１４が設けられている。映像信号出力端子１０４にはテレビなどの映像表示装置や録画装置が接続され、制御信号入力端子１１０にはテレビカメラ４０を制御するための制御装置などが接続される。
【００３３】
テレビカメラ４０と外部通信装置８０との間で映像信号や制御信号を送受信する際には、図４に示すように、カメラハウジング１２の信号送受信窓１６と、外部通信装置８０の信号送受信用窓８２が対向するように配置する。このとき、テレビカメラ４０の通信部６６の光送信器９６、光受信器１０２は、それぞれ信号送受信用窓１６、８２を介して、外部通信装置８０の光受信器１０８、光送信器１１４とそれぞれ対向している。
【００３４】
テレビカメラ４０の通信部６６では、映像信号入力端子９２から入力される映像信号をＥ／Ｏ変換器９４で電気信号から光信号に変換し、光送信器９６で所定の出力に変換して対向する外部通信装置８０の光受信器１０８に向けて送信する。光送信器９６から送信された光信号は、信号送受信用窓１６、８２を透過し、外部通信装置８０の光受信器１０８で受信され、Ｏ／Ｅ変換器１０６で光信号から電気信号に変換される。そして、電気信号に変換された映像信号が映像信号出力端子１０４に出力され、テレビなどの映像表示装置に表示される。
【００３５】
また、外部通信装置８０では、制御信号入力端子１１０から入力される制御信号をＥ／Ｏ変換器１１２で電気信号から光信号に変換し、光送信器１１４で所定の出力に変換して対向するテレビカメラ４０の通信部６６の光受信器１０８に向けて送信する。光送信器１１４から送信された光信号は、信号送受信用窓８２、１６を透過し、テレビカメラ４０の通信部６６の光受信器１０２で受信され、Ｏ／Ｅ変換器１００で光信号から電気信号に変換される。そして、電気信号に変換された制御信号が制御信号出力端子９８に出力され、ＣＰＵ６４（図２参照）おいて制御信号に応じた所定の動作が行われる。
【００３６】
このように本実施の形態では、信号送受信用窓１６、８２を介して、光送信器９６と光受信器１０８との間、及び、光送信器１１４と光受信器１０２との間で非接触による光信号の送受信を行うことができる。これにより、テレビカメラ４０をカメラハウジング１２に収納したままの状態で、テレビカメラ４０の映像信号を外部通信装置８０から出力したり、外部通信装置８０から送信される制御信号に応じてテレビカメラ４０の制御を行うことができる。
【００３７】
次に、上記の如く構成された水中カメラ装置１０の作用について説明する。
【００３８】
水中カメラ装置１０を用いて水中撮影を行う場合には、電源スイッチ３２を操作してテレビカメラ４０の電源をオンし、モード切替ボタン２８を操作して撮影モードを選択する。撮影者は電子ファインダ２０によって被写体を捕らえ、被写体を撮影範囲に収めるように水中カメラ装置１０を操作（フレーミング）する。この撮影モードにおいて、録画開始／停止ボタン３０を操作すれば録画が開始され、透明ガラス１６を介してテレビカメラ４０により撮影された映像はＣＣＤ５８によって取り込まれ、デジタルデータとして半導体メモリ６２に書き込まれて記録される。この状態で再度録画開始／停止ボタン３０を操作すれば、当該録画は停止する。なお、モード切替ボタン２８を操作して再生モードを選択すると、電子ファインダ２０には半導体メモリ６２から読み出した再生画像が表示され、録画した画像の確認が行える。
【００３９】
テレビカメラ４０に搭載されるバッテリ７４を充電するには、図３に示したように、充電装置７８の１次側コイル８６とカメラハウジング１２の２次側コイル８６が対向するように配置する。次いで、回生コンバータ８４にＡＣ電源が入力されると、１次側コイル８６及び２次側コイル８８を介して、バッテリ７４に電力が供給されて、バッテリ７４の充電が行われる。このように充電装置７８からバッテリ７４に非接触で電力を供給することができるので、カメラハウジング１２にテレビカメラ４０が収納された状態で、テレビカメラ４０に搭載されるバッテリ７４の充電を行うことができる。
【００４０】
テレビカメラ４０で撮影された映像を外部通信装置８０から出力するには、図４に示したように、カメラハウジング１２の信号送受信用窓１６と外部通信装置８０の信号送受信用窓８２が対向するように配置する。次いで、カメラコントロールスイッチ群２４のモード切替ボタン２８を映像出力モードとする。ＣＰＵ６４は、半導体メモリ６２に記録された画像のデジタルデータを映像信号として通信部６６の映像信号入力端子９２に入力する。通信部６６は映像信号を電気信号から光信号に変換して信号送受信用窓１６、８２を介して外部通信装置８０に送信する。外部通信装置８０は受信した映像信号を光信号から電気信号に変換して映像信号出力端子１０４に出力する。このようにテレビカメラ４０から外部通信装置８０に対して非接触で光信号を送信できるため、カメラハウジング１２にテレビカメラ４０が収納された状態で、テレビカメラ４０で撮影された映像を外部通信装置８０からテレビなどの映像表示装置に出力することができる。
【００４１】
また、テレビカメラ４０を制御するには、テレビカメラ４０で撮影された映像を外部通信装置８０から出力する場合と同様に、カメラハウジング１２の信号送受信用窓１６と外部通信装置８０の信号送受信用窓８２が対向するように配置する。次いで、外部通信装置８０の制御入力端子１１０にテレビカメラ４０に対する制御信号が入力されると、外部通信装置８０はその制御信号を電気信号から光信号に変換して信号送受信用窓８２、１６を介してテレビカメラ４０の通信部６６に送信する。テレビカメラ４０の通信部６６は受信した制御信号を光信号から電気信号に変換して制御信号出力端子９８から出力し、ＣＰＵ６４で制御信号に応じた所定動作が行われる。このように外部通信装置８０からテレビカメラ４０に対して非接触で光信号を送信できるため、カメラハウジング１２にテレビカメラ４０が収納された状態で、テレビカメラ４０に対する制御を外部通信装置８０に接続される制御装置から行うことができる。
【００４２】
図５は、本実施の形態にかかる水中カメラシステム１の応用例を表した概略図である。同図に示すように、水中カメラ装置１０のカメラハウジング１２底部に設けられる信号送受信用窓８２及び１次側コイル８６に対向するようにして、回転台１１６のカメラ載置部１１８に信号送受信用窓８２及び１次側コイル８６が設けられている。そして、水平方向に回動可能に構成されたカメラ載置部１１８は、回転台１１６に接続される遠隔制御装置１２０から制御可能となっている。
【００４３】
図５に示した回転台１１６及び遠隔制御装置１２０は全体で、図２乃至図４で説明した充電装置７８と外部通信装置８０を兼ねた構成となっており、これらの内部構成については充電装置７８と外部通信装置８０と共通するので図示を省略する。なお、遠隔制御装置１２０は、カメラハウジング１２に収納されるテレビカメラ４０（図５中不図示）の制御装置も兼ねている。
【００４４】
水中カメラ装置１０をカメラ載置部１１８に搭載することにより、ＡＣ電源に接続される遠隔制御装置１２０から１次側コイル８６、２次側コイル８８を介して、テレビカメラ４０に搭載されるバッテリ７４（図５中不図示）の充電を行うことができる。また、テレビカメラ４０で撮影された映像を送受信用窓１６、８２を介して遠隔制御装置１２０から出力することができる。さらに、遠隔制御装置４０から信号送受信用窓８２、１６を介して制御信号をテレビカメラ４０に送信することができ、遠隔制御装置１２０からテレビカメラ４０を制御することができる。このように水中カメラ装置１０を回転台４０のカメラ載置部１１８に搭載することにより、カメラハウジング１２にテレビカメラ４０が収納された状態で遠隔操作による撮影が可能となる。
【００４５】
このように本実施の形態における水中カメラ装置１０は、カメラハウジング１２にテレビカメラ４０が収納された状態で、テレビカメラ４０に搭載されるバッテリの充電や、テレビカメラ４０に撮影された映像の出力や、テレビカメラ４０に対する制御などを行うことができる。これにより、テレビカメラ４０を収納するカメラハウジング１２に開閉部を設ける必要がなくなり、カメラハウジング１２の開閉部に対する防水処理が不要となる。
【００４６】
なお、本実施の形態では、充電装置７８の１次側コイル８６とカメラハウジング１２の２次側コイル８８を介して、バッテリ７４に充電する態様を例示したが、これに限定されず、例えば、充電装置７８側に発光素子を配置し、カメラハウジング１２側に光発電素子を配置して、発光素子と光発電素子の間に透明窓を設けて発光素子から光発電素子に光が届くように構成し、バッテリ７４の充電を行ってもよい。光発電素子としては、例えば、発光素子からの光を受けて発電する太陽電池などが用いられる。
【００４７】
また、テレビカメラ４０と外部通信装置８０の間で光信号を送受信する態様を例示したが、これに限定されず、例えば、電波信号を送受信してもよい。
【００４８】
また、映像信号や制御信号はそれぞれ単方向に送信される通信形態を例示したが、本発明の実施に際してはこれに限定されず、例えば、制御信号をテレビカメラ４０と外部通信装置との間で双方向に通信する形態であってもよい。
【００４９】
また、テレビカメラ４０と外部通信装置８０との間で送受信される信号の種類は、映像信号や制御信号に限定されるものではない。
【００５０】
また、外部通信装置８０は、例えば、映像信号用外部通信装置と制御信号用信号外部通信装置のように信号種別毎に設けてもよい。
【００５１】
また、カメラハウジング１２だけでなく、外部通信装置８０にも信号送受信用窓８２を備えたので、陸上はもちろん、水中でもカメラハウジング１２に収納されたテレビカメラ４０と外部通信装置８０との間で映像信号や制御信号の送受信を行うことができる。
【００５２】
以上、本発明の水中カメラシステムについて詳細に説明したが、本発明は、以上の例には限定されず、本発明の要旨を逸脱しない範囲において、各種の改良や変形を行ってよいのはもちろんである。
【図面の簡単な説明】
【００５３】
【図１】本発明の実施の形態に係る水中カメラシステムを示す斜視図でである。
【図２】水中カメラ装置の内部構成を表す概略図である。
【図３】バッテリの充電を行うための回路構成図である。
【図４】テレビカメラと外部通信装置との間で映像信号や制御信号を送受信するための回路構成図である。
【図５】本実施の形態にかかる水中カメラシステムの応用例を表した概略図である。
【符号の説明】
【００５４】
１…水中カメラシステム、１０…水中カメラ装置、１２…カメラハウジング、１６…信号送受信用窓、テレビカメラ…４０、ＣＰＵ…６４、通信部…６６、７４…バッテリ、７８…充電装置、８０…外部通信装置、８６…１次側コイル、８８…２次側コイル、９４…Ｅ／Ｏ変換器、９６…光送信器、１００…Ｏ／Ｅ変換器、１０２…光受信器、１０６…Ｏ／Ｅ変換器、１０８…光受信器、１１２…Ｅ／Ｏ変換器、１１４…光送信器
【図１】
2006254332.tif 000003
【図２】
2006254332.tif 000004
【図３】
2006254332.tif 000005
【図４】
2006254332.tif 000006
【図５】
2006254332.tif 000007